(57)【要約】      （修正有）【課題】無線通信システムにおけるモバイル機器のためのドライブ試験の省力化（以下、ＭＤＴと称する）に係る測定を行なう方法を提供する。【解決手段】ＭＤＴの測定用設定を用いて設定すること６１０、および、上記モバイル機器が上記無線通信システムのネットワークに対してデタッチ処理を実施する際に、ＭＤＴの上記測定用設定を無効化すること６２０を含む。ＭＤＴの測定用設定にしたがって、無線通信システムのネットワークから測定記録を収集する工程と、上記モバイル機器がネットワークに対してデタッチ処理を実施する際に、この収集した測定記録を無効であると判断する工程とを含む。【選択図】図６
2014168237.tif 000002
【特許請求の範囲】
【請求項１】
無線通信システムにおけるモバイル機器のためのドライブ試験の省力化（以下、ＭＤＴと称する）に係る測定を行なう方法であって、
ＭＤＴの測定用設定を用いて設定する工程と、
上記モバイル機器が上記無線通信システムのネットワークに対してデタッチ処理を実施する際に、ＭＤＴの上記測定用設定を無効化する工程とを含む、方法。
【請求項２】
さらに、ＭＤＴの上記測定用設定に対応する測定記録を停止する工程を含む、請求項１に記載の方法。
【請求項３】
無線通信システムにおけるモバイル機器のためのドライブ試験の省力化（以下、ＭＤＴと称する）に係る測定を行なう方法であって、
ＭＤＴの測定用設定にしたがって、無線通信システムのネットワークから測定記録を収集する工程と、
上記モバイル機器が上記ネットワークに対してデタッチ処理を実施する際に、上記収集した測定記録を無効であると判断する工程とを含む、方法。
【請求項４】
無線通信システムにおけるネットワークのためのドライブ試験の省力化（以下、ＭＤＴと称する）に係る測定を行なう方法であって、
上記無線通信システムのモバイル機器に対してＭＤＴの測定用設定を用いて設定する工程と、
上記モバイル機器が上記ネットワークに対してデタッチ処理を実施する際に、ＭＤＴの上記測定用設定を無効化する工程とを含む、方法。
【発明の詳細な説明】
【技術分野】
【０００１】
本発明は、無線通信およびそれに関連する通信装置に用いる方法を開示する。さらに具体的には、無線通信システムにおけるドライブ試験の省力化に係る測定を行なう方法、および、関連する通信装置を開示する。
【背景技術】
【０００２】
〔先行技術に関する記載〕
カバレッジは、端末のユーザ・インターフェース（ＵＩ）を介して（つまり圏外表示によって）顧客が容易に気づくものであり、異なるサービス提供者が提供するサービスを比較する際に顧客が考慮する主な判断基準である。データサービスの提供の増加にともなって、ダウンリンクのスループットも、ネットワークの性能を判断する際に多数の顧客が用いる重要な判断基準である。アップリンクのカバレッジが十分に整備されていないと、通話設定がうまくいかなかったり、通話が途中で切れたり、アップリンクの通話音声品質が低かったりして、ユーザの使用に影響を及ぼす。
【０００３】
したがって、サービス提供者が自身のネットワークが提供するカバレッジおよびスループットを認識することは非常に重要であり、このような情報を収集するために厳しい「ドライブ試験」が実施される。ただし、考慮すべきことは、ネットワークの最適化を目的とするドライブ試験は費用がかかり、さらに、余分なＣＯ２の放出を引き起こす。したがって、ネットワークの展開および運営に関わるサービス提供者の費用を削減するために、３ＧＰＰにおいて、ＵＥを含めた、自動化された解決法を開発することが望ましい。したがって、測定に関するドライブ試験の省力化（ｍｉｎｉｍｉｚａｔｉｏｎ  ｏｆ  ｄｒｉｖｅ  ｔｅｓｔｓ；  ＭＤＴ）機能をＵＥが実施または記録すれば、待機モードまたは接続モードにおいて情報（測定記録とも称する）を収集し、サービス提供者のネットワーク維持費を削減し、より一層の顧客の満足度につながるさらに速い最適化サイクルを保証し、なおかつ、炭素放出量を低減して環境保護に貢献する。
【０００４】
なお、ＭＤＴの場合、測定用設定、測定値の収集、および、関連する測定結果の通知は、常に、同じ種類の無線アクセス技術（ｒａｄｉｏ  ａｃｃｅｓｓ  ｔｅｃｈｎｏｌｏｇｙ；  ＲＡＴ）のセル内で実施される。さらに、ＵＥがＲＲＣ接続モードにあり、かつ、ＲＲＣ（ｒａｄｉｏ  ｒｅｓｏｕｒｃｅ  ｃｏｎｔｒｏｌ）の待機モードにおいて測定用設定が有効であることを示している間は、ＭＤＴの測定用設定が専用の制御によってセル内で提供され、ＵＥがＲＲＣ待機モードにあるときには、測定用設定および記録が保持され、および／または、ＵＥが上記ＲＡＴに準拠しているときには、測定用設定および記録が保持される。その一方では、ＭＤＴの測定用設定および対応するＭＤＴの測定記録は、公衆陸上移動通信ネットワーク（ｐｕｂｌｉｃ  ｌａｎｄ  ｍｏｂｉｌｅ  ｎｅｔｗｏｒｋ；  ＰＬＭＮ）が切り替えられる際およびスイッチオフ時には、ＵＥによって消去される。ＰＬＭＮは、複数のＲＡＴ（例えばＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）およびＬｏｎｇ−Ｔｅｒｍ  Ｅｖｏｌｕｔｉｏｎ（ＬＴＥ））に依存している。ＵＭＴＳまたはＬＴＥを用いるサービス提供者はＰＬＭＮコードによって特定可能であって、このＰＬＭＮコードはＭｏｂｉｌｅ
Ｎｅｔｗｏｒｋ  Ｃｏｄｅ（ＭＮＣ）およびＭｏｂｉｌｅ  Ｃｏｕｎｔｒｙ  Ｃｏｄｅ（ＭＣＣ）の対からなる。
【先行技術文献】
【非特許文献】
【０００５】
【非特許文献１】3rd Generation Partnership Project，”3GPP TS 23.122 V9.3.0; Technical Specification Group Core Network and Terminals; Non-Access-Stratum (NAS) functions related to Mobile Station (MS) in idle mode (Release 9)”, 2010/06
【非特許文献２】3rd Generation Partnership Project，”3GPP TS 24.008 V9.3.0; Technical Specification Group Core Network and Terminals; Mobile radio interface Layer 3 specification; Core network protocols; Stage 3 (Release 9)”,2010/06
【非特許文献３】3rd Generation Partnership Project，”3GPP TS 24.301 V9.3.0; Technical Specification Group Core Network and Terminals; Non-Access-Stratum (NAS) protocol  for Evolved Packet System (EPS);  Stage 3 (Release 9)”,2010/06
【非特許文献４】3rd Generation Partnership Project，”3GPP R2-104212; Technical Specification Group TSG RAN Universal Terrestrial Radio Access (UTRA) and Evolved Universal Terrestrial Radio Access (E-UTRA); Radio measurement collection for Minimization of Drive Tests (MDT); Overall description; Stage 2 (Release 10)”,2010/06
【発明の概要】
【発明が解決しようとする課題】
【０００６】
しかしながら、出願人は、先行技術のＵＭＴＳまたはＬＴＥのシステムに基づく直接的なイメージに基づいて、以下に述べるように、ＵＥが、ＭＤＴの測定用設定およびＭＤＴの測定記録に関連する有効性の問題を起こすことがあることに気づいた。
【０００７】
第１のシナリオでは、ＭＤＴの測定用設定がなされたＵＥが、まず、あるＰＬＭＮに登録してから、他のＰＬＭＮに登録する。先行技術によれば、ＵＥは、ＰＬＭＮが切り替わると、ＭＤＴの測定用設定を消去し、測定記録を停止する。ただし、サービス提供者が、例えばＭＣＣが同じであるがＭＮＣが異なる複数のＰＬＭＮコードを有することがある。したがって、ＵＥが先に登録したＰＬＭＮと、現在登録しようとしているＰＬＭＮとが同一のサービス提供者に属することがありうる。ＭＤＴの測定用設定およびＭＤＴの測定記録を無効化または消去する結果として、ネットワークが該ＵＥのためにＭＤＴの測定用設定を再設定する必要が生じ、ネットワークはＵＥが測定記録を収集するのを待つことになる。
【０００８】
第２のシナリオでは、ＭＤＴの測定用設定がなされたＵＥが、ＣＳＧ（ｃｌｏｓｅｄ  ｓｕｂｓｃｒｉｂｅｒ  ｇｒｏｕｐ）セルを選択するが、該ＵＥがこのＣＳＧに認証されないので拒否される。この状況では、ＵＥはどのＰＬＭＮにも登録しておらず（つまり、「登録済みＰＬＭＮ」から「未登録ＰＬＭＮ」に切り替えられ）、先に登録したＰＬＭＮのマイクロセルに戻ることを選択してもよい。ただし、先に登録したＰＬＭＮのカバレッジ内に引き続き位置しているＵＥがＭＤＴの測定用設定を消去しなければならないのか否かは、明瞭に規定されていない。ＭＤＴの測定用設定およびＭＤＴの測定記録を有効化または消去する結果として、ネットワークがＵＥのためにＭＤＴの測定用設定を再設定する必要が生じ、ネットワークはＵＥが測定記録を収集するのを待つことになる。
【０００９】
第３のシナリオでは、ＭＤＴの測定用設定がなされたＵＥが、ＰＬＭＮによって送信されるＮＡＳメッセージ中の拒否理由（ｒｅｊｅｃｔ  ｃａｕｓｅ）で、ＰＬＭＮによって拒否される。ＵＥはＭＤＴの測定用設定および対応するＭＤＴの測定記録を有効化して、ＵＥが引き続きＰＬＭＮに留まるのであれば、測定を継続する。ただし、ＰＬＭＮはＵＥを無効であるとみなし、それゆえＵＥの測定記録を読み出さない。この動作は、ＵＥが測定を継続するのでＵＥのパワーを消費し、ＵＥが記録を継続するのでＵＥのメモリを消費する。
【００１０】
第４のシナリオでは、関連するすべてのＭＤＴの測定用設定およびＭＤＴの測定記録を、ＵＥがスイッチオフ時に削除しなければならないと規定される。ただし、ＵＥは、「フライトモード」（無線送信機は許可されていない）に入ることによって、スイッチオフする代わりにデタッチ（切断）処理を実施してもよい。ただし、ＵＥがノーマルモードに入った後（つまりアタッチ（接続）処理を再度実施した後）も、ＭＤＴの測定用設定が依然として有効であるのか否かは明瞭でない。ＵＥは、ネットワークによって要求されていないＭＤＴ測定および記録を実施することも許されている。この要求されていないＭＤＴ測定および記録は、ＵＥの電池出力を浪費する。
【課題を解決するための手段】
【００１１】
本願は、上述の問題を解決するために、無線通信システムおよび関連する通信装置における、ドライブ試験の省力化に係る測定を行なう方法を開示する。
【００１２】
無線通信システムにおけるモバイル機器のためのドライブ試験の省力化（以下、ＭＤＴと称する）に係る測定を行なう方法を開示する。本方法は、ＭＤＴの測定用設定を用いて設定する工程と、上記モバイル機器が無線通信システムのネットワークに対してデタッチ処理を実施する際に、ＭＤＴの上記測定用設定を無効化する工程とを含む。
【００１３】
無線通信システムにおけるモバイル機器のためのドライブ試験の省力化（以下、ＭＤＴと称する）に係る測定を行なう方法を開示する。本方法は、ＭＤＴの測定用設定にしたがって、無線通信システムのネットワークから測定記録を収集する工程と、上記モバイル機器がネットワークに対してデタッチ処理を実施する際に、この収集した測定記録を無効であると判断する工程とを含む。
【００１４】
無線通信システムにおけるネットワークのためのドライブ試験の省力化（以下、ＭＤＴと称する）に係る測定を行なう方法を開示する。本方法は、無線通信システムのモバイル機器に対してＭＤＴの測定用設定を用いて設定する工程と、上記モバイル機器がネットワークに対してデタッチ処理を実施する際に、ＭＤＴの上記測定用設定を無効化する工程とを含む。
【００１５】
本発明のこれらの目的または他の目的は、様々な図面に図解される以下の好ましい実施形態の詳細な説明を読めば、当業者に明らかとなろう。
【図面の簡単な説明】
【００１６】
【図１】典型的な無線通信システムを示す概略図である。
【図２】典型的な通信装置を示す概略図である。
【図３】典型的な通信システムの通信プロトコル層を示す概略図である。
【図４】本開示に係る典型的なプロセスのフローチャートである。
【図５】本開示に係る典型的なプロセスのフローチャートである。
【図６】本開示に係る典型的なプロセスのフローチャートである。
【図７】本開示に係る典型的なプロセスのフローチャートである。
【図８】本開示に係る典型的なプロセスのフローチャートである。
【発明を実施するための形態】
【００１７】
〔関連出願の相互参照〕
本願は、「Method and Apparatus for handling MDT measurement configuration and log in a wireless communication system」を名称とする、２０１０年７月２７日出願の米国仮出願第６１／３６７，８８１号、および、「METHOD AND APPARATUS FOR HANDLING MDT MEASUREMENT CONFIGURATION AND LOG IN A WIRELESS COMMUNICATION SYSTEM」を名称とする、２０１０年１０月２８日出願の米国仮出願第６１／４０７，６０７号の利益を主張するものであり、これら出願の内容は全て参照によってここに引用されるものとする。
【００１８】
〔詳細な説明〕
図１は、一例に係る無線通信システム１０を示す概略図である。簡潔に記せば、無線通信システム１０はネットワークおよび複数のモバイル機器からなる。無線通信システム１０は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ（Ｌｏｎｇ−Ｔｅｒｍ  Ｅｖｏｌｕｔｉｏｎ）システム、または、任意のその他の同様のネットワークシステムであってもよい。ＬＴＥシステムでは、ネットワークはＥＵＴＲＡＮ（ｅｖｏｌｖｅｄ−ＵＴＲＡＮ）と称されることもあり、モバイル機器はユーザ装置（ｕｓｅｒ  ｅｑｕｉｐｍｅｎｔ：  ＵＥ）と称される。このＥＵＴＲＡＮは複数のｅＮＢ、つまりコアネットワークエンティティ（例えばＭＭＥと称されるＭｏｂｉｌｉｔｙ  Ｍａｎａｇｅｍｅｎｔ  Ｅｎｔｉｔｙ）を備えている。ＵＥは、例えば携帯電話やコンピュータシステムなどのデバイスであってもよい。本願明細書の全体を通して、参照しやすいように、これらの呼称を使用する。ただし、これによって、本開示が任意の１つの特定のタイプのネットワークに限定されると解釈すべきではない。いくつかの例では、伝送方向に応じて、ネットワークおよびＵＥを、送信機または受信機であるとみなしてもよい。例えば、アップリンク（ＵＬ）の場合は、ＵＥが送信機であり、ネットワークが受信機である。また、ダウンリンク（ＤＬ）の場合は、ネットワークが送信機であり、ＵＥが受信機である。
【００１９】
図２は、典型的な通信装置２０を示す概略図である。通信装置２０は、図１に示すモバイル機器１０であってもよいが、ここでは限定されない。通信装置２０は、処理手段（例えばマイクロプロセッサまたは特定用途向け集積回路（ＡＳＩＣ））２００、記憶ユニット２１０、および、通信インターフェースユニット２２０を備えていてもよい。記憶ユニット２１０は、処理手段２００がアクセスするためのプログラムコード２１４を記憶することができる任意のデータ記憶装置であってよい。記憶ユニット２１０の例としては、ＳＩＭ（ｓｕｂｓｃｒｉｂｅｒ  ｉｄｅｎｔｉｔｙ  ｍｏｄｕｌｅ）、読み出し専用メモリ（ＲＯＭ）、フラッシュメモリ、ランダムアクセスメモリ（ＲＡＭ）、ＣＤ−ＲＯＭ、磁気テープ、ハードディスク、および、光学データ記憶デバイスなどがあげられるが、これらの例に限定されるものではない。通信インターフェースユニット２２０は、好ましくは無線送受信機であり、処理手段２００の処理結果に応じてネットワークと無線信号を交換することができる。
【００２０】
図３は、ＬＴＥシステムの通信プロトコル層を示す概略図である。一部のプロトコル層の振る舞いはプログラムコード２１４において規定され、処理手段２００によって実行されてもよい。プロトコル層は、上から下の順に、ｎｏｎ  ａｃｃｅｓｓ  ｓｔｒａｔｕｍ（ＮＡＳ）層３００、ｒａｄｉｏ  ｒｅｓｏｕｒｃｅ  ｃｏｎｔｒｏｌ（ＲＲＣ）層３１０、ｐａｃｋｅｔ  ｄａｔａ  ｃｏｎｖｅｒｇｅｎｃｅ  ｐｒｏｔｏｃｏｌ（ＰＤＣＰ）層３２０、ｒａｄｉｏ  ｌｉｎｋ  ｃｏｎｔｒｏｌ（ＲＬＣ）層３３０、ｍｅｄｉｕｍ  ａｃｃｅｓｓ  ｃｏｎｔｒｏｌ（ＭＡＣ）層３４０、および、物理（ＰＨＹ）層３５０である。ＮＡＳ層３００は、公衆陸上移動通信ネットワーク（ＰＬＭＮ）の選択、トラッキングエリアの更新、呼び出し、認証、および、Ｅｖｏｌｖｅｄ  Ｐａｃｋｅｔ  Ｓｙｓｔｅｍ（ＥＰＳ）ベアラの確立、変更、および、解放を受け持つ。
【００２１】
図４は、典型的なプロセス４０のフローチャートを示している。プロセス４０はＵＥにおいて使用され、ＭＤＴ測定を処理する。ここで、ＵＥは図２の通信装置２０であってもよい。プロセス４０はプログラムコード２１４にコンパイルされることが可能であり、次のステップを含む。
【００２２】
ステップ４００：開始。
【００２３】
ステップ４１０：無線通信システムの第１のＰＬＭＮに登録する。
【００２４】
ステップ４２０：ＵＥが第１のＰＬＭＮと同一のサービス提供者に属する第２のＰＬＭＮに登録する場合、または、ＵＥが第１のＰＬＭＮのカバレッジ内に位置しているが、どのＰＬＭＮにも登録していない場合に、ＭＤＴの測定用設定を有効化する。
【００２５】
ステップ４３０：終了。
【００２６】
プロセス４０によれば、ＰＬＭＮが同一のサービス提供者内で切り替えられる場合、または、未登録ＰＬＭＮに切り替えられる場合に、ＵＥはＭＤＴの測定用設定を保持する。なお、ＭＤＴ測定は、サービス提供者による配備の目的のために、ネットワーク（例えばｅＮＢ）のカバレッジ情報を収集するために使用され、それゆえ、第１のＰＬＭＮおよび第２のＰＬＭＮが同一のサービス提供者に属するのであれば、ＵＥがＭＤＴの測定用設定を消去することは不要になる。
【００２７】
プロセス４０に基づく一例をあげる。ＭＤＴの測定用設定がなされたＵＥが第１の登録済みＰＬＭＮを有する。このＵＥが第１の登録済みＰＬＭＮから第２の登録済みＰＬＭＮへ切り替えられ、かつ、第１の登録済みＰＬＭＮおよび第２の登録済みＰＬＭＮが同一のサービス提供者に属する場合、不必要なＭＤＴの測定用設定を再設定しなくてもすむように、ＵＥはＭＤＴの測定用設定を保持または有効化する。なお、ＵＥは、第１の登録済みＰＬＭＮおよび第２の登録済みＰＬＭＮが協調動作をしている（具体的には、同一のサービス提供者に属している）ことを、ＵＥもしくはＳＩＭ（ｓｕｂｓｃｒｉｂｅｒ  ｉｄｅｎｔｉｔｙ  ｍｏｄｕｌｅ）／ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）に記憶されている所定の情報から知り得てもよく、またはネットワークによってＲＲＣメッセージもしくはＮＡＳメッセージにおいて明示的に信号化された情報から知り得てもよい。さらに、ＵＥは、ＭＤＴの測定用設定に対応する測定記録の記録を継続する。
【００２８】
その一方で、ＵＥが第１の登録済みＰＬＭＮから３ＧＰＰの仕様書ＴＳ２３．１２２に規定されている「未登録ＰＬＭＮ」に切り替えられるが、第１の登録済みＰＬＭＮのカバレッジ内に依然として位置するままである場合、ＵＥはＭＤＴの測定用設定を保持または有効化する。要するに、ＵＥが第１の登録済みＰＬＭＮから未登録ＰＬＭＮに切り替えられるが、ＵＥは第１の登録済みＰＬＭＮのカバレッジ内に依然として位置するままであるから、ＭＤＴの測定用設定を消去することは不要である。ＵＥは、さらに、ＭＤＴの測定用設定に対応する測定記録の記録を継続する。なお、ＵＥはネットワークによって理由値を用いて拒否されることもあり、この場合にＵＥは未登録ＰＬＭＮに切り替えられる。拒否理由の値は＃１２（ＬＡが不許可またはＴＡが不許可）であってもよく、＃１５（ロケーションエリア内に適切なセルが存在しない、もしくは、トラッキングエリア内に適切なセルが存在しない）であってもよく、または、＃２５（このＣＳＧに対して許可が得られない）であってもよい。また、拒否理由の値は、３ＧＰＰの仕様書ＴＳ２３．１２２、ＴＳ２４．００８、および、ＴＳ２４．３０１に規定されている。これらの理由値の規定は当該技術分野において周知であり、ここでは詳述しない。なお、ＵＥが拒否理由の値＃１５をともなうメッセージを受信すると、ＵＥは、同じＰＬＭＮ（具体的には、第１の登録済みＰＬＭＮ）内で適切なセルを探す。
【００２９】
プロセス４０に基づいて、ＭＤＴの測定用設定およびＭＤＴの測定記録の不必要な無効化または消去が回避される。その結果、ネットワークは、ＵＥに対してＭＤＴ設定を再設定する必要がなく、ＵＥが測定記録を収集するのを待てばよい。
【００３０】
図５は、典型的なプロセス５０のフローチャートを示している。プロセス５０はＵＥにおいて使用され、ＭＤＴ測定を処理する。ここで、ＵＥは図２の通信装置２０であってもよい。プロセス５０はプログラムコード２１４にコンパイルされることが可能であり、次のステップを含む。
【００３１】
ステップ５００：開始。
【００３２】
ステップ５１０：無線通信システムのＰＬＭＮに登録する。
【００３３】
ステップ５２０：ＵＥが登録済みＰＬＭＮに対して無効であると判断された場合、ＭＤＴの測定用設定を無効化する。
【００３４】
ステップ５３０：終了。
【００３５】
プロセス５０によれば、ＵＥが登録済みＰＬＭＮによって拒否されて、登録済みＰＬＭＮに対して無効であると判断された場合、ＵＥはＭＤＴの測定用設定およびＭＤＴの測定記録を保持せず、こうすることによって、ＵＥのパワーおよびメモリを消費する不必要な測定を回避する。
【００３６】
プロセス５０に基づく一例をあげる。ＰＬＭＮに留まっているＵＥがＭＤＴの測定用設定を用いて設定される。このＵＥがＰＬＭＮによって拒否理由の値を用いて拒否された場合、たとえＵＥがＰＬＭＮに引き続き留まっていても、ＵＥはＭＤＴ設定を消去または無効化する。さらに具体的には、ＰＬＭＮに留まっているＵＥは、ＵＥが無効であれば、ＭＤＴの測定用設定を保持せず、測定記録を記録することを停止する。ＰＬＭＮはＵＥが無効であると判断し、ＵＥから測定記録を読み出さないので、ＵＥがＭＤＴの測定用設定およびＭＤＴの測定記録を有効化する必要がなく、こうすることによって、ＵＥのパワーおよびメモリの消費量を削減する。
【００３７】
なお、拒否理由の値は、ＵＥまたはＳＩＭ／ＵＳＩＭがネットワークにおいて無効であることを示すために使用される。例えば、拒否理由の値は、＃２（国際携帯電話加入者識別情報（ホームロケーションレジスタ（Ｈｏｍｅ  Ｌｏｃａｔｉｏｎ  Ｒｅｇｉｓｔｅｒ；  ＨＬＲ）においてｉｎｔｅｒｎａｔｉｏｎａｌ  ｍｏｂｉｌｅ  ｓｕｂｓｃｒｉｂｅｒ  ｉｄｅｎｔｉｔｙ；  ＩＭＳＩ）が未知である）であってもよく、＃３（不正な移動局（ＭＳ））であってもよく、＃６（不正なモバイル設備（ＭＥ））であってもよく、または、＃１１（ＰＬＭＮが不許可）であってもよい。したがって、ＵＥが拒否理由の値を受信すると、スイッチオフが起こるまで、または、ＳＩＭ／ＵＳＩＭが削除されるまで、ＵＥは無効であるとみなす。
【００３８】
プロセス５０に基づいて、ＰＬＭＮに留まっているＵＥがＰＬＭＮに対して無効である場合、ＵＥはＭＤＴの測定用設定を消去して記録を停止し、こうすることによって、不必要なパワーおよびメモリの消費を回避する。
【００３９】
図６は、典型的なプロセス６０のフローチャートを示している。プロセス６０はＵＥにおいて使用され、ＭＤＴ測定を処理する。ここで、ＵＥは図２の通信装置２０であってもよい。プロセス６０はプログラムコード２１４にコンパイルされることが可能であり、次のステップを含む。
【００４０】
ステップ６００：開始。
【００４１】
ステップ６１０：ＭＤＴの測定用設定を用いて設定する。
【００４２】
ステップ６２０：ＵＥがネットワークに対してデタッチ処理を実施する場合、ＭＤＴの測定用設定を無効化する。
【００４３】
ステップ６３０：終了。
【００４４】
プロセス６０によれば、ＵＥがデタッチ処理（例えば、ＵＥがＤＥＴＡＣＨ  ＲＥＱＵＥＳＴメッセージを送信せずに局所的にデタッチを行う局所的デタッチ、ＵＥがネットワークにＤＥＴＡＣＨ  ＲＥＱＵＥＳＴメッセージを送信する、ＵＥが開始するデタッチ処理、又は、ＵＥがＤＥＴＡＣＨ  ＲＥＱＵＥＳＴメッセージをネットワークから受信する、ネットワークが開始するデタッチ処理）を実施する場合、ＭＤＴの測定用設定を用いて設定されたＵＥは、ＭＤＴの測定用設定が無効であると判断する。ＵＥは、ＭＤＴの測定用設定を消去、削除、または、解放することによって、ＭＤＴの測定用設定を無効化してもよい。さらに、ＵＥはＭＤＴの測定用設定に対応する測定記録を停止する。
【００４５】
なお、デタッチ処理を行った後、ＵＥは、通常のサービス（例えば発呼）を開始する前に、または、その開始時にアタッチ処理を実施しなければならない。また、ＵＥは、ＭＤＴの測定用設定を設定するネットワークに対してデタッチ処理を実施してもよく、ＭＤＴの測定用設定を設定しないネットワークに対してデタッチ処理を実施してもよい。例えば、ＵＥは、ＬＴＥネットワークではＭＤＴの測定用設定を受信するが、ＵＭＴＳネットワークではデタッチ処理を実施する。この状況において、ＵＥはＭＤＴの測定用設定が無効であると判断し、ＭＤＴの測定用設定を消去してもよい。
【００４６】
図７は、典型的なプロセス７０のフローチャートを示している。プロセス７０はＵＥにおいて使用され、ＭＤＴ測定を処理する。ここで、ＵＥは図２の通信装置２０であってもよい。プロセス７０はプログラムコード２１４にコンパイルされることが可能であり、次のステップを含む。
【００４７】
ステップ７００：開始。
【００４８】
ステップ７１０：ＭＤＴの測定用設定にしたがってネットワークから測定記録を収集する。
【００４９】
ステップ７２０：ＵＥがネットワークに対してデタッチ処理を実施する場合、収集した測定記録が無効であると判断する。
【００５０】
ステップ７３０：終了。
【００５１】
プロセス７０によれば、測定記録を有するＵＥがＭＤＴの測定用設定を設定するネットワークからデタッチされる場合、ＵＥは測定記録が無効であると判断する。さらに、ＵＥは測定記録を消去してもよい。なお、ネットワークからデタッチされたＵＥは、正常なサービスを開始する前に、または、その開始時にアタッチ処理を実施しなければならない。
【００５２】
図８は、典型的なプロセス８０のフローチャートを示している。プロセス８０はネットワークにおいて使用され、ＭＤＴ測定を処理する。プロセス８０はプログラムコード２１４にコンパイルされることが可能であり、次のステップを含む。
【００５３】
ステップ８００：開始。
【００５４】
ステップ８１０：ＵＥに対してＭＤＴの測定用設定を設定する。
【００５５】
ステップ８２０：ＵＥがネットワークに対してデタッチ処理を実施する場合、ＭＤＴの測定用設定を無効化する。
【００５６】
ステップ８３０：終了。
【００５７】
プロセス８０によれば、ＵＥに対してＭＤＴの測定用設定を設定するネットワークは、ＵＥがネットワークからデタッチされる場合、ＭＤＴの測定用設定が無効であると判断し、ＭＤＴの測定用設定を消去する。
【００５８】
プロセス６０〜８０に基づいて、ＵＥがデタッチ処理を実施する場合、ＭＤＴの測定用設定および／またはＭＤＴの測定記録が有効であるのか否かが、明確に規定される。ＵＥがアタッチ処理を実施して、ノーマルモードに戻った後は、ＵＥは所望していないＭＤＴ測定を実施せず、こうすることによって、パワーの浪費を回避する。
【００５９】
なお、提案したステップを含む、上述のプロセスの各ステップは、例えばハードウェア、ハードウェア装置とコンピュータ命令とハードウェア装置に読み取り専用ソフトウェアとして常駐するデータとの組み合わせとして知られているファームウェア、または、電子システムであり得る手段によって実現可能である。ハードウェアの例としては、マイクロ回路、マイクロチップ、または、シリコンチップとして知られているアナログ回路、デジタル回路、および、混合された回路などがあげられる。電子システムの例としては、システム・オン・チップ（ＳＯＣ）、システム・イン・パッケージ（Ｓiｐ）、コンピュータ・オン・モジュール（ＣＯＭ）、および、通信装置２０などがあげられる。
【００６０】
結論として、典型的な例および手段が、ＭＤＴの測定用設定およびＭＤＴの測定記録を正しく処理するために提供される。
【００６１】
なお、本願は、無線通信システムにおけるモバイル機器のためのドライブ試験の省力化（以下、ＭＤＴと称する）に係る測定を行なう方法を開示する。本方法は、第１の公衆陸上移動通信ネットワークに登録する工程と、ＵＥが第１の公衆陸上移動通信ネットワークと同一のサービス提供者に属する第２の公衆陸上移動通信ネットワークに登録する場合に、または、該ＵＥが第１の公衆陸上移動通信ネットワークのカバレッジ内に位置しているが、いずれの公衆陸上移動通信ネットワークにも登録していない場合に、ＭＤＴの測定用設定を保持する工程とを含む。
【００６２】
また、本願は、無線通信システムにおけるモバイル機器のためのドライブ試験の省力化（以下、ＭＤＴと称する）に係る測定を行なう方法を開示する。本方法は、上記無線通信システムの公衆陸上移動通信ネットワークに登録する工程と、上記モバイル機器が登録済みの公衆陸上移動通信ネットワークに対して無効であると判断された場合に、ＭＤＴの測定用設定を無効化する工程とを含む。
【００６３】
当業者には、本発明の教唆事項から逸脱することなく、さまざまな改良および変更をデバイスおよび方法に加えることができることは明らかであろう。したがって、上記の開示事項は、添付の請求項の範囲によってのみ限定されるに過ぎないと解釈すべきものである。
【図１】
2014168237.tif 000003
【図２】
2014168237.tif 000004
【図３】
2014168237.tif 000005
【図４】
2014168237.tif 000006
【図５】
2014168237.tif 000007
【図６】
2014168237.tif 000008
【図７】
2014168237.tif 000009
【図８】
2014168237.tif 000010